【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
ワイヤレス・デバイスにおける通信の方法であって、
リソースのセットが発展型マルチメディア・ブロードキャスト・マルチキャスト・サービス（ｅＭＢＭＳ）のためにスケジュールされることを決定することと、
リソースの前記セットの第１シンボル期間がセル固有の参照信号（ＣＲＳ）プリアンブルに関連し、リソースの前記セットの第２のシンボル期間がユニキャスト制御シンボル期間であることを決定することと、
リソースの前記セットを使用してユニキャスト・データ送信を指示する制御メッセージを前記ユニキャスト制御シンボル期間において特定することと、
リソースの前記セットに関連したサブフレームに関わるＣＲＳオン／オフ検知を実施することと、
前記ＣＲＳオン／オフ検知に少なくとも部分的に基づいて前記サブフレームの間に少なくとも１つのＣＲＳを受信することと、
前記ＣＲＳオン／オフ検知に少なくとも部分的に基づいて蓄積されたＣＲＳデータと前記少なくとも１つのＣＲＳを組み合わせることと
を備える、方法。
【請求項２】
リソースの前記セットに関連した前記サブフレームの間に少なくとも１つの復調参照信号（ＤＭＲＳ）を受信すること
をさらに備える、請求項１に記載の方法。
【請求項３】
前記少なくとも１つのＤＭＲＳは、ＣＲＳパターンに関連した少なくとも１つのリソース・エレメントを使用する、請求項２に記載の方法。
【請求項４】
前記少なくとも１つのＤＭＲＳは、非ＣＲＳリソース・エレメントのセットに関わる低密度のリソース・パターンを使用する、請求項３に記載の方法。
【請求項５】
前記ユニキャスト制御シンボル期間の間に前記制御メッセージを受信することと、
前記制御メッセージに少なくとも部分的に基づいてリソースの前記セットに関連した前記サブフレームの間に前記ユニキャスト・データ送信を受信することと、
をさらに備える、請求項１に記載の方法。
【請求項６】
前記ユニキャスト制御シンボル期間の間に前記制御メッセージを送信することと、
リソースの前記セットに関連した前記サブフレームの間に前記ユニキャスト・データ送信を送信することと、
をさらに備える、請求項１に記載の方法。
【請求項７】
リソースの第２のセットが第２のｅＭＢＭＳのためにスケジュールされることを決定すること
をさらに備える、請求項１に記載の方法。
【請求項８】
リソースの前記セットとリソースの前記第２のセットが周波数分割多重（ＦＤＭ）構成にしたがって多重化されることを決定すること
をさらに備える、請求項７に記載の方法。
【請求項９】
リソースの前記セットとリソースの前記第２のセットが時分割多重（ＴＤＭ）構成にしたがって多重化されることを決定すること
をさらに備える、請求項７に記載の方法。
【請求項１０】
ｅＭＢＭＳプリエンプション（preemption）指示を受信することと、
前記ｅＭＢＭＳのためにスケジュールされたリソースの前記セットが前記ｅＭＢＭＳプリエンプション指示に少なくとも部分的に基づいてユニキャスト・データを含むことを決定することと、
をさらに備える、請求項１に記載の方法。
【請求項１１】
リソースの前記セットは、減じられたシンボル期間に少なくとも部分的に基づき、ここにおいて、前記減じられたシンボル期間は、強化コンポーネント・キャリア（ｅＣＣ）構成に対応する、請求項１に記載の方法。
【請求項１２】
前記減じられたシンボル期間は、クリア・チャネル・アセスメント（ＣＣＡ）長に等しい、請求項１１に記載の方法。
【請求項１３】
前記減じられたシンボル期間は、拡張されたサイクリック・プレフィクス（ＣＰ）長に少なくとも部分的に基づく、請求項１１に記載の方法。
【請求項１４】
前記拡張されたＣＰ長に少なくとも部分的に基づく前記減じられたシンボル期間は、前記ｅＭＢＭＳに関連した帯域幅範囲に対応し、拡張されていないＣＰ長に少なくとも部分的に基づく第２の減じられたシンボル期間は、ユニキャスト送信に関連した帯域幅範囲に対応する、請求項１３に記載の方法。
【請求項１５】
前記制御メッセージは、物理アップリンク・フォーマット・インジケータ・チャネル（ＰＵＦＩＣＨ）フォーマットまたはリソース割り当てを使用する、請求項１に記載の方法。
【請求項１６】
リソースの前記セットが前記ｅＭＢＭＳのためにスケジュールされることを決定することは、
前記ｅＭＢＭＳを指示するシステム情報ブロック（ＳＩＢ）を受信することと、前記ＳＩＢに少なくとも部分的に基づいてマルチキャスト制御チャネル（ＭＣＣＨ）を受信することとを備える、請求項１に記載の方法。
【請求項１７】
ワイヤレス・デバイスにおける通信のための装置であって、
リソースのセットが発展型マルチメディア・ブロードキャスト・マルチキャスト・サービス（ｅＭＢＭＳ）のためにスケジュールされることを決定するための手段と、
リソースの前記セットの第１シンボル期間がセル固有の参照信号（ＣＲＳ）プリアンブルに関連し、リソースの前記セットの第２のシンボル期間がユニキャスト制御シンボル期間であることを決定するための手段と、
リソースの前記セットを使用してユニキャスト・データ送信を指示する制御メッセージを前記ユニキャスト制御シンボル期間において特定するための手段と、
リソースの前記セットに関連したサブフレームに関わるＣＲＳオン／オフ検知を実施するための手段と、
前記ＣＲＳオン／オフ検知に少なくとも部分的に基づいて前記サブフレームの間に少なくとも１つのＣＲＳを受信するための手段と、
前記ＣＲＳオン／オフ検知に少なくとも部分的に基づいて蓄積されたＣＲＳデータと前記少なくとも１つのＣＲＳを組み合わせるための手段と
を備える、装置。
【請求項１８】
ワイヤレス・デバイスにおける通信のための装置であって、
プロセッサと、
前記プロセッサと電子通信状態にあるメモリと、
前記メモリに記憶された命令と
を備え、ここにおいて、前記命令は、前記装置に、
リソースのセットが発展型マルチメディア・ブロードキャスト・マルチキャスト・サービス（ｅＭＢＭＳ）のためにスケジュールされることを決定することと、
リソースの前記セットの第１シンボル期間がセル固有の参照信号（ＣＲＳ）プリアンブルに関連し、リソースの前記セットの第２のシンボル期間がユニキャスト制御シンボル期間であることを決定することと、
リソースの前記セットを使用してユニキャスト・データ送信を指示する制御メッセージを前記ユニキャスト制御シンボル期間において特定することと、
リソースの前記セットに関連したサブフレームに関わるＣＲＳオン／オフ検知を実施することと、
前記ＣＲＳオン／オフ検知に少なくとも部分的に基づいて前記サブフレームの間に少なくとも１つのＣＲＳを受信することと、
前記ＣＲＳオン／オフ検知に少なくとも部分的に基づいて蓄積されたＣＲＳデータと前記少なくとも１つのＣＲＳを組み合わせることと
を行わせるように前記プロセッサによって実行可能である、装置。
【請求項１９】
前記命令は、前記装置に、
リソースの前記セットに関連した前記サブフレームの間に少なくとも１つの復調参照信号（ＤＭＲＳ）を受信すること
を行わせるように前記プロセッサによって実行可能である、請求項１８に記載の装置。
【請求項２０】
前記少なくとも１つのＤＭＲＳは、ＣＲＳパターンに関連した少なくとも１つのリソース・エレメントと、非ＣＲＳリソース・エレメントのセットに関わる低密度のリソース・パターンとを使用する、請求項１９に記載の装置。
【請求項２１】
前記命令は、前記装置に、
前記ユニキャスト制御シンボル期間の間に前記制御メッセージを受信することと、
前記制御メッセージに少なくとも部分的に基づいてリソースの前記セットに関連した前記サブフレームの間に前記ユニキャスト・データ送信を受信することと、
を行わせるように前記プロセッサによって実行可能である、請求項１８に記載の装置。
【請求項２２】
前記命令は、前記装置に、
前記ユニキャスト制御シンボル期間の間に前記制御メッセージを送信することと、
リソースの前記セットに関連した前記サブフレームの間に前記ユニキャスト・データ送信を送信することと、
を行わせるように前記プロセッサによって実行可能である、請求項１８に記載の装置。
【請求項２３】
前記命令は、
リソースの第２のセットが第２のｅＭＢＭＳのためにスケジュールされることを決定する
ように前記プロセッサによって実行可能である、請求項１８に記載の装置。
【請求項２４】
前記命令は、前記装置に、
リソースの前記セットとリソースの前記第２のセットが周波数分割多重（ＦＤＭ）構成にしたがって多重化されることを決定すること
を行わせるように前記プロセッサによって実行可能である、請求項２３に記載の装置。
【請求項２５】
前記命令は、前記装置に、
リソースの前記セットとリソースの前記第２のセットが時分割多重（ＴＤＭ）構成にしたがって多重化されることを決定すること
を行わせるように前記プロセッサによって実行可能である、請求項２３に記載の装置。
【請求項２６】
ワイヤレス・デバイスにおける通信のためのコードを記憶する非一時的コンピュータ可読媒体であって、前記コードは、
リソースのセットが発展型マルチメディア・ブロードキャスト・マルチキャスト・サービス（ｅＭＢＭＳ）のためにスケジュールされることを決定することと、
リソースの前記セットの第１シンボル期間がセル固有の参照信号（ＣＲＳ）プリアンブルに関連し、リソースの前記セットの第２のシンボル期間がユニキャスト制御シンボル期間であることを決定することと、
リソースの前記セットを使用してユニキャスト・データ送信を指示する制御メッセージを前記ユニキャスト制御シンボル期間において特定することと、
リソースの前記セットに関連したサブフレームに関わるＣＲＳオン／オフ検知を実施することと、
前記ＣＲＳオン／オフ検知に少なくとも部分的に基づいて前記サブフレームの間に少なくとも１つのＣＲＳを受信することと、
前記ＣＲＳオン／オフ検知に少なくとも部分的に基づいて蓄積されたＣＲＳデータと前記少なくとも１つのＣＲＳを組み合わせることと
を行うように実行可能である命令を備える、コンピュータ可読媒体。
【手続補正２】
【補正対象書類名】明細書
【補正対象項目名】０１６８
【補正方法】変更
【補正の内容】
【０１６８】
[0187]  本明細書で説明される技法は、ＣＤＭＡ、時分割多元接続（ＴＤＭＡ）、周波数分割多元接続（ＦＤＭＡ）、ＯＦＤＭＡ、ＳＣ−ＦＤＭＡ、および他のシステムのようなさまざまなワイヤレス通信システムに対して使用され得る。「システム」および「ネットワーク」という用語は、しばしば交換可能に使用される。ＣＤＭＡシステムは、ＣＤＭＡ２０００、ユニバーサル地上無線アクセス（ＵＴＲＡ）などのような無線技術をインプリメントし得る。ＣＤＭＡ２０００は、ＩＳ−２０００、ＩＳ−９５、ＩＳ−８５６規格をカバーする。ＩＳ−２０００リリース０およびＡは一般的に、ＣＤＭＡ２０００ １Ｘ、１Ｘなどと称される。ＩＳ−８５６（ＴＩＡ−８５６）は、一般的に、ＣＤＭＡ２０００ 1ｘＥＶ−ＤＯ、高速パケットデータ（ＨＲＰＤ）などと称される。ＵＴＲＡは、広帯域ＣＤＭＡ（ＷＣＤＭＡ（登録商標））およびＣＤＭＡの他の変形物を含む。ＴＤＭＡシステムは、モバイル通信のためのグローバル・システム（ＧＳＭ（登録商標））のような無線技術をインプリメントし得る。ＯＦＤＭＡシステムは、ウルトラ・モバイル・ブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭなど、のような無線技術をインプリメントし得る。ＵＴＲＡおよびＥ-ＵＴＲＡは、ユニバーサルモバイル電気通信システム（ＵＭＴＳ）の一部である。３ＧＰＰロング・ターム・エボリューション（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびモバイル通信のためのグローバル・システム（ＧＳＭ）は、「第３世代パートナーシップ・プロジェクト」（３ＧＰＰ）という名称の団体からの文書中に説明されている。ＣＤＭＡ２０００およびＵＭＢは、「第３世代パートナーシップ・プロジェクト２」（３ＧＰＰ２）という名称の団体からの文書中に説明されている。本明細書で説明された技法は、上述されたシステムおよび無線技術ならびに他のシステムおよび無線技術に対して使用され得る。上記の説明は、しかしながら、実例を目的としてＬＴＥシステムを説明しており、ＬＴＥの専門用語が上記の説明の大部分中で使用されているが、本技法は、ＬＴＥアプリケーションを超えて適用可能である。
以下に本願の出願当初の特許請求の範囲に記載された発明を付記する。
［Ｃ１］
無線デバイスにおける通信の方法であって、
リソースのセットが発展型マルチメディア・ブロードキャスト・マルチキャスト・サービス（ｅＭＢＭＳ）のためにスケジュールされることを決定することと、
リソースの前記セットの第１シンボル期間がセル固有の参照信号（ＣＲＳ）プリアンブルに関連し、リソースの前記セットの第２のシンボル期間がユニキャスト制御シンボル期間であることを決定することと、
リソースの前記セットを使用してユニキャスト・データ送信を指示する制御メッセージを前記ユニキャスト制御シンボル期間において特定することと、を備える方法。
［Ｃ２］
リソースの前記セットに関連するサブフレームに関わるＣＲＳオン／オフ検知を実施することと、
前記ＣＲＳオン／オフ検知に少なくとも部分的に基づいて前記サブフレームの間に少なくとも１つのＣＲＳを受信することと、をさらに備えるＣ１に記載の方法。
［Ｃ３］
前記ＣＲＳオン／オフ検知に少なくとも部分的に基づいて蓄積されたＣＲＳデータと前記少なくとも１つのＣＲＳを組み合わせることをさらに備えるＣ２に記載の方法。
［Ｃ４］
リソースの前記セットに関連するサブフレームの間に少なくとも１つの復調参照信号（ＤＭＲＳ）を受信することをさらに備えるＣ１に記載の方法。
［Ｃ５］
前記少なくとも１つのＤＭＲＳは、ＣＲＳパターンに関連した少なくとも１つのリソース・エレメントを使用する、Ｃ４に記載の方法。
［Ｃ６］
前記少なくとも１つのＤＭＲＳは、非ＣＲＳリソース・エレメントのセットに関わる低密度のリソース・パターンを使用する、Ｃ５に記載の方法。
［Ｃ７］
前記ユニキャスト制御シンボル期間の間に前記制御メッセージを受信することと、
前記制御メッセージに少なくとも部分的に基づいてリソースの前記セットに関連したサブフレームの間に前記ユニキャスト・データ送信を受信することと、をさらに備えるＣ１に記載の方法。
［Ｃ８］
前記ユニキャスト制御シンボル期間の間に前記制御メッセージを送信することと、リソースの前記セットに関連したサブフレームの間に前記ユニキャスト・データ送信を送信することと、をさらに備えるＣ１に記載の方法。
［Ｃ９］
リソースの第２のセットが第２のｅＭＢＭＳのためにスケジュールされることを決定することをさらに備える、Ｃ１に記載の方法。
［Ｃ１０］
リソースの前記セットとリソースの前記第２のセットが周波数分割多重（ＦＤＭ）構成にしたがって多重化されることを決定することをさらに備える、Ｃ９に記載の方法。
［Ｃ１１］
リソースの前記セットとリソースの前記第２のセットが時分割多重（ＴＤＭ）構成にしたがって多重化されることを決定することをさらに備える、Ｃ９に記載の方法。
［Ｃ１２］
ＭＢＭＳプリエンプション（preemption）指示を受信することと、
前記ｅＭＢＭＳのためにスケジュールされたリソースの前記セットが前記ｅＭＢＭＳプリエンプション指示に少なくとも部分的に基づいてユニキャスト・データを含むことを決定することと、をさらに備えるＣ１に記載の方法。
［Ｃ１３］
リソースの前記セットは、減じられたシンボル期間に少なくとも部分的に基づき、ここにおいて、前記減じられたシンボル期間は、強化コンポーネント・キャリア（ｅＣＣ）構成に対応する、Ｃ１に記載の方法。
［Ｃ１４］
前記減じられたシンボル期間は、クリア・チャネル・アセスメント（ＣＣＡ）長に等しい、Ｃ１３に記載の方法。
［Ｃ１５］
前記減じられたシンボル期間は、拡張されたサイクリック・プレフィクス（ＣＰ）長に少なくとも部分的に基づく、Ｃ１３に記載の方法。
［Ｃ１６］
前記拡張されたＣＰ長に少なくとも部分的に基づく前記減じられたシンボル期間は、前記ｅＭＢＭＳに関連した帯域幅範囲に対応し、拡張されていないＣＰ長に少なくとも部分的に基づく第２の減じられたシンボル期間は、ユニキャスト送信に関連した帯域幅範囲に対応する、Ｃ１５に記載の方法。
［Ｃ１７］
前記制御メッセージは、物理アップリンク・フォーマット・インジケータ・チャネル（ＰＵＦＩＣＨ）フォーマットまたはリソース割り当てを使用する、Ｃ１に記載の方法。
［Ｃ１８］
リソースの前記セットが前記ｅＭＢＭＳのためにスケジュールされることを決定することは、
前記ｅＭＢＭＳを示すシステム情報ブロック（ＳＩＢ）を受信することと前記ＳＩＢに少なくとも部分的に基づいてマルチキャスト制御チャネル（ＭＣＣＨ）を受信することとを備える、Ｃ１に記載の方法。
［Ｃ１９］
ワイヤレス・デバイスにおける通信のための装置であって、
リソースのセットが発展型マルチメディア・ブロードキャスト・マルチキャスト・サービス（ｅＭＢＭＳ）のためにスケジュールされることを決定するための手段と、
リソースの前記セットの第１シンボル期間がセル固有の参照信号（ＣＲＳ）プリアンブルに関連し、リソースの前記セットの第２のシンボル期間がユニキャスト制御シンボル期間であることを決定するための手段と、
リソースの前記セットを使用してユニキャスト・データ送信を指示する制御メッセージを前記ユニキャスト制御シンボル期間において特定するための手段と、を備える装置。
［Ｃ２０］
リソースの前記セットに関連するサブフレームに関わるＣＲＳオン／オフ検知を実施するための手段と、
前記ＣＲＳオン／オフ検知に少なくとも部分的に基づいて前記サブフレームの間に少なくとも１つのＣＲＳを受信するための手段と、をさらに備えるＣ１９に記載の装置。
［Ｃ２１］
前記ＣＲＳオン／オフ検知に少なくとも部分的に基づいて蓄積されたＣＲＳデータと前記少なくとも１つのＣＲＳを組み合わせるための手段をさらに備えるＣ２０に記載の装置。
［Ｃ２２］
リソースの前記セットに関連するサブフレームの間に少なくとも１つの復調参照信号（ＤＭＲＳ）を受信するための手段をさらに備えるＣ１９に記載の装置。
［Ｃ２３］
前記少なくとも１つのＤＭＲＳは、ＣＲＳパターンに関連する少なくとも１つのリソース・エレメントと、非ＣＲＳリソース・エレメントのセットに関わる低密度のリソース・パターンとを使用する、Ｃ２２に記載の装置。
［Ｃ２４］
前記ユニキャスト制御シンボル期間の間に前記制御メッセージを受信するための手段と、前記制御メッセージに少なくとも部分的に基づいてリソースの前記セットに関連したサブフレームの間に前記ユニキャスト・データ送信を受信するための手段と、をさらに備えるＣ１９に記載の装置。
［Ｃ２５］
前記ユニキャスト制御シンボル期間の間に前記制御メッセージを送信するための手段と、リソースの前記セットに関連したサブフレームの間に前記ユニキャスト・データ送信を送信するための手段と、をさらに備えるＣ１９に記載の装置。
［Ｃ２６］
リソースの第２のセットが第２のｅＭＢＭＳのためにスケジュールされることを決定するための手段をさらに備える、Ｃ１９に記載の装置。
［Ｃ２７］
リソースの前記セットとリソースの前記第２のセットが周波数分割多重（ＦＤＭ）構成にしたがって多重化されることを決定するための手段をさらに備える、Ｃ２６に記載の装置。
［Ｃ２８］
リソースの前記セットとリソースの前記第２のセットが時分割多重（ＴＤＭ）構成にしたがって多重化されることを決定するための手段をさらに備える、Ｃ２６に記載の装置。
［Ｃ２９］
ワイヤレス・デバイスにおける通信のための装置であって、
プロセッサと、
前記プロセッサと電子通信状態にあるメモリと、
前記メモリに記憶された命令と
を備え、ここにおいて、前記命令は、
リソースのセットが発展型マルチメディア・ブロードキャスト・マルチキャスト・サービス（ｅＭＢＭＳ）のためにスケジュールされることを決定することと、
リソースの前記セットの第１シンボル期間がセル固有の参照信号（ＣＲＳ）プリアンブルに関連し、リソースの前記セットの第２のシンボル期間がユニキャスト制御シンボル期間であることを決定することと、
リソースの前記セットを使用してユニキャスト・データ送信を指示する制御メッセージを前記ユニキャスト制御シンボル期間において特定することと、を前記装置に行わせることを、前記プロセッサによって実行可能である、装置。
［Ｃ３０］
ワイヤレス・デバイスにおける通信のためのコードを記憶する非一時的コンピュータ可読媒体であって、前記コードは、
リソースのセットが発展型マルチメディア・ブロードキャスト・マルチキャスト・サービス（ｅＭＢＭＳ）のためにスケジュールされることを決定することと、
リソースの前記セットの第１シンボル期間がセル固有の参照信号（ＣＲＳ）プリアンブルに関連し、リソースの前記セットの第２のシンボル期間がユニキャスト制御シンボル期間であることを決定することと、
リソースの前記セットを使用してユニキャスト・データ送信を指示する制御メッセージを前記ユニキャスト制御シンボル期間において特定することと、を実行可能である命令を備える、コンピュータ可読媒体。